(57)【要約】【課題】液体を散布することを含む作業である対象作業を建築物の外装に対して行なう場合における液体の垂れ落ちを軽減する。【解決手段】作業者は、建築物１に沿って昇降する、例えばマストクライミングタイプの昇降足場１１０にのって対象作業を行なう。昇降足場１１０は、足場板１１１を囲む柵１１３を備えている。柵１１３のうち建築物１に臨む前柵部１１３Ａは建築物１に向かって傾斜している。足場板１１１と柵１１３は、遮水シートに覆われており、遮水シートによる船型の空間が形成されている。その船型の空間に溜まった水は、排水管１３０により、建築物１の排水口３付近に流れるようになっている。対象作業を行なって発生した液体は、前柵部１１３Ａを伝って船型の空間に到り、排水管１３０を介して排水口３から排水される。【選択図】図１
2011026872.tif 000002
【特許請求の範囲】
【請求項１】
高さ方向の所々に排水のための排水口を備える所定の建築物の外側面に沿って昇降できるようにされ、且つ前記建築物の前記外側面に対する液体の散布を伴う所定の作業である対象作業を行う作業者が乗ることのできるようにされた底面と、前記作業者の転落を防止するための前記底面を囲む柵とを有する昇降足場、を用い、
前記建築物に対して昇降する前記昇降足場に乗った前記作業者に前記対象作業を行なわせる建築物の外装に対する処理方法であって、
前記昇降足場の前記底面と、前記柵の所定の高さまでの部分とを遮水シートで水密に覆うとともに、前記底面の一部に柔軟性のある管状の排水管の基端を接続し、
前記対象作業を行うのに適当な位置で前記昇降足場を停止させ、
停止させた前記昇降足場よりも低い位置にある前記排水口付近に前記排水管の先端を位置させ、
前記遮水シートで囲まれた空間に落として溜められた前記対象作業により生じた液体を、前記排水管を介して前記排水管の先端付近にある前記排水口から排水させられるようにした、
処理方法。
【請求項２】
前記柵のうち前記建築物に向かう部分である前柵部を、前記建築物に向けて傾斜させたものとする、
請求項１記載の処理方法。
【請求項３】
前記建築物が、水平方向に張出した張出し部を高さ方向の所定の間隔ごとに備えている場合に、
前記柵のうち前記建築物に向かう部分である前柵部を、前記建築物に向けて傾斜した傾斜状態と、前記建築物に対する傾斜が前記傾斜状態よりも小さい通常状態の２つの状態を取れるように可動にし、
前記昇降足場が昇降しているときには前記前柵部を通常状態とすることで、前記前柵部と前記張出し部の干渉を防止し、
前記昇降足場を停止させ前記作業者に前記対象作業を行わせる場合には、前記前柵部を前記傾斜状態とすることで、前記前柵部の先端をその直上の前記張出し部の下方に差し込む、
請求項１記載の処理方法。
【請求項４】
前記対象作業の開始に先立ち、前記昇降足場の前記底面を覆う前記遮水シートの損傷を防止する、前記昇降足場の前記底面を覆う前記遮水シートを覆う保護部材を配する、
請求項１記載の処理方法。
【請求項５】
前記保護部材として、前記底面を覆う弾性を有するマットと、前記マットを覆う板材を配する、
請求項４記載の処理方法。
【請求項６】
高さ方向の所々に排水のための排水口を備える所定の建築物の外側面に沿って昇降できるようにされ、且つ前記建築物の前記外側面に対する液体の散布を伴う所定の作業である対象作業を行う作業者が乗ることのできるようにされた底面と、前記作業者の転落を防止するための前記底面を囲む柵とを有する昇降足場と、
前記昇降足場の前記底面と、前記柵の所定の高さまでの部分とを水密に覆う遮水シートと、
前記遮水シートの前記底面の一部にその基端が接続された柔軟性のある管状の排水管と、
を備えており、
前記排水管は、前記建築物に対して昇降する前記昇降足場に乗った前記作業者に前記対象作業を行なわせるために、前記対象作業を行うのに適当な位置で前記昇降足場を停止させたときに、停止させた前記昇降足場よりも低い位置にある前記排水口付近にその先端を位置させられるようになっており、
前記遮水シートで囲まれた空間に落として溜められた前記対象作業により生じた液体を、前記排水管を介して前記排水管の先端付近にある前記排水口から排水させられるようになされてなる、
建築物の外装に対する処理装置。
【発明の詳細な説明】
【技術分野】
【０００１】
本願発明は、建築物、特に既設の建築物の外装に対して水その他の液体を散布することを含む所定の作業を行なうための技術に関する。
【背景技術】
【０００２】
建築物の外装に対して、液体を散布することを含む作業（以下、場合によりそのような作業を「対象作業」という。）を行なうことが必要な場合がある。例えば、建築物の外装を洗浄する場合には、建築物の外装に水を散布することが必要になるし、建築物の外装の塗装塗り替えの場合の前処理におけるサンダーかけの場合にも、建築物の外装に水を散布することが必要となる。
対象作業は通常、建築物の側面に沿って昇降可能な昇降足場の上に乗った作業者が行う。昇降足場は、ビルの窓清掃などによく使われている屋上などに載置のウインチなどから吊下げられるゴンドラであったり、或いは、建築物の外側面に沿って建てられたマストに固定される、マストに対して昇降する駆動機構と足場とを備えたマストクライミングタイプのワークプラットフォーム（商標）のプラットフォームであったりする。作業者は、建築物の外側面に沿って昇降させ適当な位置で停止させられた昇降足場から、建築物の外装に対して対象作業を行なうのである。
【０００３】
しかしながら、従来は、このようにして行なわれる対象作業により生じる水その他の液体は、そのまま、或いは一端昇降足場の上に垂れてから地上に垂れ落ちるがままにされている。そのため、従来は、対象作業を行なう場合、対象作業を行なっている下の部分を通行止めにするなどして、建築物の周辺を歩く歩行者などに垂れ落ちる液体が掛からないようにしている。しかしながら、それでは歩行者などの不便が多く、また、対象作業を行なっている直下で通行止めの措置を採ったとしても、風により予期せぬところまで液体が飛散する場合もあるから、通行止めの効果は不十分な場合もある。
【発明の概要】
【発明が解決しようとする課題】
【０００４】
本発明は、液体を散布することを含む作業である対象作業を建築物の外装に対して行なう場合における液体の垂れ落ちを軽減することをその課題とする。
【課題を解決するための手段】
【０００５】
本願発明者は、かかる課題を解決するための発明として、以下の方法及び装置を提案する。
本願発明の方法は、高さ方向の所々に排水のための排水口を備える所定の建築物の外装に対して対象作業を行なう場合に用いることができるものである。
より具体的には、本願発明は、高さ方向の所々に排水のための排水口を備える所定の建築物の外側面に沿って昇降できるようにされ、且つ前記建築物の前記外側面に対する液体の散布を伴う所定の作業である対象作業を行う作業者が乗ることのできるようにされた底面と、前記作業者の転落を防止するための前記底面を囲む柵とを有する昇降足場、を用い、前記建築物に対して昇降する前記昇降足場に乗った前記作業者に前記対象作業を行なわせる建築物の外装に対する処理方法である。
そして、この処理方法では、前記昇降足場の前記底面と、前記柵の所定の高さまでの部分を遮水シートで水密に覆うとともに、前記底面の一部に柔軟性のある管状の排水管の基端を接続し、前記対象作業を行うのに適当な位置で前記昇降足場を停止させ、停止させた前記昇降足場よりも低い位置にある前記排水口付近に前記排水管の先端を位置させ、前記遮水シートで囲まれた空間に落として溜められた前記対象作業により生じた液体を、前記排水管を介して前記排水管の先端付近にある前記排水口から排水させられるようにした。
この処理方法によれば、対象作業により生じた水などの液体は、昇降足場の上の遮水シートで囲まれた空間（より詳細には、上側が開放された略船型の空間）に一旦溜められ、排水管を介して建築物が備える排水口に導かれ、その排水口から排水させられるようになる。これにより、この処理方法によれば、対象作業により生じた液体の垂れ落ちを防止できるようになる。
なお、建築物が備える排水口としては、例えば、マンションのベランダに普通に備えられている雨水排水用の排水口を用いることができる。
【０００６】
本願発明における昇降足場は、ゴンドラでも、マストクライミングタイプのワークプラットフォームのプラットフォームでも構わない。
昇降足場の前記底面を遮水シートで覆う作業、柵の所定の高さまでの部分を遮水シートで覆う作業、これらにより昇降足場の必要な範囲を水密に覆う作業、底面の一部に柔軟性のある管状の排水管の基端を接続する作業は、行なう順序を問わない。最終的に、昇降足場の底面と、柵の所定の高さまでの部分が遮水シートで水密に覆われ、底面の一部に柔軟性のある管状の排水管の基端が接続されていればそれで足りる。『前記昇降足場の前記底面と、前記柵の所定の高さまでの部分を遮水シートで水密に覆うとともに、前記底面の一部に柔軟性のある管状の排水管の基端を接続し』という文章はそのような意味である。
本願発明における排水管の先端は、建築物の排水口に接続されても良いが、排水口の付近に位置させる（例えば、単に「置く」）だけでも構わない。
また、排水管の先端をその付近に位置させる排水口は、停止している昇降足場よりも下に位置し、遮水シートに囲まれた空間に溜まった液体が自然に排水管の中を流下するようなものの中から適当に選択すれば良い。もっとも、作業の行い易さ、排水管の長さの短縮などの観点からすれば、昇降足場の直下のものを選択するのが賢明だと考えられる。
【０００７】
昇降足場には通常、作業者の落下防止のための柵がついている。
柵を覆う遮水シートは、柵を所定の高さまで覆っていればよいが、柵をその高さ一杯まで覆っていてもよい。
柵は、通常昇降足場の底面を囲うようにされている。
柵のうち前記建築物に向かう部分である前柵部を、前記建築物に向けて傾斜させたものとしてもよい。このような前柵部を有する昇降足場を用いれば、昇降足場の上から作業者が散水等を行なうことによって生じた液体が、昇降足場と建築物の間の隙間から垂れ落ちる可能性が小さくなる。
この場合、前柵部の先端と建築物の外側面との間隔が狭い程液体の垂れ落ちを効果的に防げることとなるが、その間隔は例えば、２０ｃｍ程度或いはそれ以下とするのが好ましい。液体の垂れ落ちを防止するにはその程度の間隔を採用するのが好ましい。
【０００８】
前記建築物が、水平方向に張出した張出し部を高さ方向の所定の間隔ごとに備えている場合、本願発明の処理方法は以下のようなものとすることができる。
即ち、前記柵のうち前記建築物に向かう部分である前柵部を、前記建築物に向けて傾斜した傾斜状態と、前記建築物に対する傾斜が前記傾斜状態よりも小さい通常状態の２つの状態を取れるように可動にし、前記昇降足場が昇降しているときには前記前柵部を通常状態とすることで、前記前柵部と前記張出し部の干渉を防止し、前記昇降足場を停止させ前記作業者に前記対象作業を行わせる場合には、前記前柵部を前記傾斜状態とすることで、前記前柵部の先端をその直上の前記張出し部の下方に差し込む、ようにすることができる。
このようにすれば、対象作業を行なうのに伴って建築物に散布された液体は、張出し部の下方に差し込まれた前柵部に確実に受け止められることとなるから液体の垂れ落ちをほとんど完全に防げるようになるのと同時に、昇降を行なうときに前柵部が張出し部と干渉するのを防げるようになる。
張出し部は、例えば、建築物がマンションである場合のベランダである。
【０００９】
本願発明の処理方法では、前記対象作業の開始に先立ち、前記昇降足場の前記底面を覆う前記遮水シートの損傷を防止する、前記昇降足場の前記底面を覆う前記遮水シートを覆う保護部材を配してもよい。対象作業の内容によっては遮水シートの上に遮水シートの損傷を招く恐れのある物が落下する可能性がある。遮水シートの損傷は液体の垂れ落ちを招くが、保護部材があれば遮水シートの損傷を効果的に防げる。
遮水シートの損傷を防止できる限り保護部材の構成はどのようなものでもよいが、例えば、前記保護部材として、前記底面を覆う弾性を有するマットと、前記マットを覆う板材を配することとすれば、遮水シートを効果的に保護できるだけでなく、弾性を有するマットの上での作業を作業者に強いる必要がなくなる。
【００１０】
本願発明者は、高さ方向の所々に排水のための排水口を備える所定の建築物の外側面に沿って昇降できるようにされ、且つ前記建築物の前記外側面に対する液体の散布を伴う所定の作業である対象作業を行う作業者が乗ることのできるようにされた底面と、前記作業者の転落を防止するための前記底面を囲む柵とを有する昇降足場と、前記昇降足場の前記底面と、前記柵の所定の高さまでの部分とを水密に覆う遮水シートと、前記遮水シートの前記底面の一部にその基端が接続された柔軟性のある管状の排水管と、を備えており、前記排水管は、前記建築物に対して昇降する前記昇降足場に乗った前記作業者に前記対象作業を行なわせるために、前記対象作業を行うのに適当な位置で前記昇降足場を停止させたときに、停止させた前記昇降足場よりも低い位置にある前記排水口付近にその先端を位置させられるようになっており、前記遮水シートで囲まれた空間に落として溜められた前記対象作業により生じた液体を、前記排水管を介して前記排水管の先端付近にある前記排水口から排水させられるようになされてなる、建築物の外装に対する処理装置をも本願発明として提案する。
このような処理装置によっても、上述した処理方法と同様の作用効果を得られる。
【図面の簡単な説明】
【００１１】
【図１】本発明の第１実施形態による処理装置の構造、及び使用態様を示す一部断面図を含む側面図。
【図２】図１に示した処理装置の昇降足場を拡大して示す一部破断図を含む側面図。
【図３】本発明の第２実施形態による処理装置の構造、及び使用態様を示す一部断面図を含む側面図。
【発明を実施するための形態】
【００１２】
以下、本発明の第１実施形態及び第２実施形態を、図面を参照しながら詳細に説明する。
各実施形態において共通する対象には共通の符号を付すこととし、重複する説明は場合により省略することとする。
【００１３】
≪第１実施形態≫
図１に、本発明の第１実施形態による処理装置を示す。
処理装置１００は、既存の建築物１に対して対象作業を行なうための装置である。対象作業は、液体の散布を伴う作業であり、必ずしもこの限りではないが、この実施形態では建築物１の外装の洗浄である。
既存の建築物１は、必ずしもこの限りではないがこの実施形態では高層のマンションである。建築物１の図１における右側の面が、この実施形態では対象作業が行なわれる面となる。建築物１は、高さ方向の所々に排水のための排水口を備える。より具体的には、この実施形態の建築物１は、フロア毎にベランダ２を備えているが、そのベランダ２床面の所定の位置に排水口３を備えている。排水口３は、そこに流入した液体を、外部、例えば図外の下水道に流す排水のための管の開口である。ベランダ２、排水口３の構成はいずれも極普通のものである。
【００１４】
処理装置１００は、昇降足場１１０と、マスト１２０とからなる。昇降足場１１０と、マスト１２０を備えるこの処理装置１００の昇降足場１１０は、いわゆるマストクライミングタイプのワークプラットフォームを流用したものである。マストクライミングタイプのワークプラットフォームは、例えば、日本では、ガデリウス株式会社が輸入総代理店となっている、アリマック・ヘック社が製造するワークプラットフォーム（商標）を利用して製造することができる。
【００１５】
マスト１２０は、柱状に構成されており、建築物１の対象作業がなされる外側面の傍に、垂直に立てられている。マスト１２０は対象作業を行なう必要に応じてその高さを調整できる。マスト１２０は、図１には現れていないが図１の奥行き方向に複数本（この実施形態では、２本）立てられている。マスト１２０はともに、マスト部材１２１を連ねて構成されている。マスト部材１２１は、この限りではないが、例えば１５０ｃｍ程度の長さである。地面にマスト部材１２１を立てるにあたって、地面に対するマスト部材１２１の固定を強固なものとするために土台を設ける等の適切な処置を行うことができるのは当然のことである。
【００１６】
昇降足場１１０は、マスト１２０に取り付けられる。昇降足場１１０は、板状の足場板１１１と、足場板１１１に固定された駆動部１１２と柵１１３を備えている。
足場板１１１は、その上に乗った作業者が対象作業を行なうための足場となる。作業者が対象作業を行なう際に必要な器具、装置も足場板１１１の上に載置される場合があるが、足場板１１１は、そのような器具、装置をその上に載置した状態で、その上に乗った作業者が対象作業を行なうのに十分な強度を備えている。足場板１１１には、マスト１２０を貫通させるための孔が複数、この実施形態では２つ穿たれている。足場板１１１は、平面視で矩形であるのが基本であるが、平面視した場合の建築物１の外側面に凹凸がある場合には、平面視した場合の建築物１に対向する辺を建築物１の外側面の凹凸に対応した形状とすることができる。例えば、建築物１の外側面に凹みがある場合であれば、足場板１１１の建築物１の外側面に臨む辺には、出っ張りを設けることができる。なお、図示を省略するが、足場板１１１には、後述する排水管を貫通させる孔が穿たれている。
駆動部１１２は、マスト１２０に食い付くことが可能とされ、油圧等の駆動力により、マスト１２０に対して昇降自在であり、また、マスト１２０の適宜な位置で停止することができるように構成されている。駆動部１１２は、足場板１１１に穿たれたマスト１２０を貫通させるための２つの孔の直下にそれぞれ設けられている。なお、図１において駆動部１１２は足場板１１１の下側に設けられているが、足場板１１１の上に駆動部１１２を取付けることも可能である。
柵１１３は、足場板１１１の上に乗った作業者が昇降足場１１０から転落しないように作業者を保護するためのものである。柵１１３は、足場板１１１の周囲を囲むように設けられている。柵１１３の構成は、作業者の転落防止の要請に応えられるようなものであれば、その詳細を問わない。
柵１１３のうち、足場板１１１の建築物１の外側面に臨む辺に設けられた部分（前柵部１１３Ａ）は、建築物１に向かって倒れこむような傾斜が与えられている。前柵部１１３Ａの先端と、建築物１の外側面との間の間隔は、この実施形態では、例えば、２０ｃｍ程度、或いはそれ以下とされている。
【００１７】
ここまでに説明した昇降足場１１０と、マスト１２０には、公知のマストクライミングタイプの昇降足場をそのまま転用することができる。もっとも、一般的な昇降足場の足場板１１１には後述する排水管を貫通させるための上述した孔が存在しない場合があるので、その場合にはその孔を足場板１１１に穿つことが必要となるであろう。また、一般的な昇降足場の柵１１３は前柵部１１３Ａにおいても足場板１１１に対して垂直な場合が多いので、前柵部１１３Ａを上述のように傾斜させることが必要な場合が多いであろう。
【００１８】
昇降足場１１０の縦断面を図２に拡大して示す。
昇降足場１１０の足場板１１１と、柵１１３の内側には、遮水シート１１４が配されている。作業者は、遮水シート１１４を配する作業を行なう。
この実施形態の遮水シート１１４は樹脂製である。遮水シート１１４は、足場板１１１の略全面を覆い、また、柵１１３の内側全面を覆っている。遮水シート１１４は、柵１１３をある程度の高さまで覆っていれば足りるが、この実施形態では、遮水シート１１４は、柵１１３の内側全体を覆っている。遮水シート１１４は、全体として、上側の開放された略船型となっているが、遮水シート１１４は一枚物であってもよいし、複数のシートを例えば溶着することなどにより接続して構成されている物であってもよい。ただし、いずれにせよ、遮水シート１１４は、上側の開放された略船型の空間が開放されている部分を除いて水密となるようにされている。
遮水シート１１４のうち、足場板１１１を覆っている部分の一部には図示を省略の孔が穿たれている。この孔は、足場板１１１に設けられている排水管を貫通させるための上述の孔に対応する位置に設けられている。足場板１１１の孔を貫通させた排水管１３０の基端の周囲を遮水シート１１４に穿たれた孔の周囲の遮水シート１１４に溶着などに接続することで、遮水シート１１４によって形成された略船型の空間の内部と排水管１３０とが連通した状態となる。排水管１３０は柔軟性を有する素材でできており、この実施形態では、遮水シート１１４と同じ樹脂素材により構成されている。
遮水シート１１４のうち、足場板１１１を覆っている部分は、マット１１５にて覆われている。作業者は、足場板１１１をマット１１５にて覆う作業を行なう。マット１１５は、遮水シート１１４のうちの足場板１１１を覆っている部分の全面を覆うのが好ましいが、必ずしもそうである必要はない。マット１１５は遮水シート１１４を保護するためのものであり、弾性を有する素材にて構成されている。マット１１５は例えば椰子マットなどの天然素材でできたマットであり、或いは発泡ウレタンなどの樹脂でできているマットである。マット１１５は、例えば現場にて、足場板１１１の形状に合わせて大きなマットを切断して形作ることができる。マット１１５は必ずしも一枚ものである必要はない。
マット１１５は、その全面を板１１６、この実施形態ではベニヤ板である板１１６にて覆われている。弾性を有するマット１１５の上では作業者は作業を行ないにくい。板１１６があれば、作業者は作業を行ないやすくなる。
【００１９】
以上のような処理装置１００を用いて、作業者は、対象作業を行なう。
対象作業を行なう場合、作業者は、まず、昇降足場１１０の足場板１１１の上に乗る。そして、対象作業を行なう適当な高さよりも少し低い位置まで昇降足場１１０を昇降させ、そこで昇降足場１１０を停止する。
そこで作業者は、昇降足場１１０からベランダ２に降り、排水管１３０の先端をベランダ２の排水口３の傍に位置させる。このとき、排水管１３０の先端を排水口３の中に押込んだり、排水口３の近辺に置かれる排水管１３０の先端に錘を付けたりすることにより、排水管１３０の先端の位置を排水口３の近辺に固定することも可能である。なお、昇降足場１１０から垂れ下がる排水管１３０を作業者が手元に引き寄せられるようにするには、例えば、排水管１３０の先端付近にその先端を、前柵部１１３Ａにその基端を結び付けられた紐を予め準備しておけばよい。作業者は、紐を手繰り寄せることで、足場板１１１の下方に垂れ下がった排水管１３０の先端を手元に引き寄せられる。
【００２０】
次いで、作業者は、昇降足場１１０を、対象作業を行なう適当な高さまで昇降させ、そこで昇降足場１１０を停止させる。
その状態で作業者は、対象作業を行なう。対象作業により生じた液体（この実施形態では、建築物１の外装を洗浄するために建築物１の外側面に噴射された水）は、前柵部１１３Ａの上に落ち、傾斜した前柵部１１３Ａの上を伝って足場板１１１を覆っている遮水シート１１４の上に到る。足場板１１１を覆っている遮水シート１１４の上に到った液体は、排水管１３０を介してベランダ２の排水口３に到り、排水口３から適宜排水される。
このような液体の流れにより、対象作業を行なうことによって生じた液体が無為に垂れ落ちることが防止される。
【００２１】
その高さでの対象作業を終えた作業者は、排水管１３０の先端を排水口３の付近に位置させたときの高さまで昇降足場１１０を昇降させ、排水管１３０を回収する。
そして、作業者は、次の対象作業を、以上説明したことを繰り返すことにより行なう。
一般的には作業者は、対象作業を、建築物１の一番上から下に向かって、或いは建築物１の一番下から上に向かって行なう。必要な対象作業が終了すれば、昇降足場１１０を地上まで降ろし、作業者は地上に降りる。
【００２２】
なお、この実施形態での昇降足場１１０は、マストクライミングタイプのワークプラットフォームに含まれるプラットフォームであったが、屋上などから吊下げるタイプのゴンドラを昇降足場１１０としたとしても第１実施形態と同様の対象作業を行なうことが可能である。
【００２３】
≪第２実施形態≫
図３に、本発明の第２実施形態による処理装置１００を示す。この処理装置１００は、第１実施形態による処理装置１００と構成においてそれほど変わることはない。
第２実施形態の処理装置１００は、第１実施形態の処理装置１００と同じく、既存の建築物１に対して対象作業を行なうためのものであり、昇降足場１１０と、マスト１２０を備える。
第２実施形態のマスト１２０は、第１実施形態のものと変りはない。
第２実施形態の昇降足場１１０は、基本的に第１実施形態の昇降足場と同じであり、足場板１１１と駆動部１１２と柵１１３を備えている。第２実施形態の足場板１１１と駆動部１１２は、第１実施形態の場合と変わりはない。
【００２４】
第２実施形態の処理装置１００が第１実施形態の処理装置１００と異なるのは、その前柵部１１３Ａである。第１実施形態における前柵部１１３Ａは固定され不動とされていたが、第２実施形態における前柵部１１３Ａは可動である。
図３に示したように、第２実施形態における前柵部１１３Ａは、建築物１に向かって大きく傾斜した状態（実線で示した状態）と、建築物１に向かう傾斜が小さい状態（図３では、足場板１１１に対して垂直となっており、二点破線で示されている。）の２つの状態の間で基端から移動可能となっており、且つその２つの状態で固定できるようにされている。
そのような動きが可能なように、第２実施形態における前柵部１１３Ａは、その基端を足場板１１１にヒンジ接続されている。前柵部１１３Ａの移動は、何らかの動力を用いて自動的に行なうようになっていても構わないが、手動で行なうようになっていても構わない。この実施形態では、手動で上述の前柵部１１３Ａの移動を実現するようになっている。
なお、第２実施形態では、前柵部１１３Ａのこのような移動を実現するため、柵１１３を覆う遮水シート１１４に幾らか余裕が持たされている。つまり、前柵部１１３Ａが、二点破線で示された状態から実線で示された状態に倒れこむと、柵１１３の前柵部１１３Ａと隣接していた部分と前柵部１１３Ａとの間に三角形の隙間ができる。第２実施形態の遮水シート１１４は、その隙間に対応する大きさの余剰が、前柵部１１３Ａとそれと隣接する柵１１３の間に予め折り込まれており、前柵部１１３Ａが倒れこんだとしても、遮水シート１１４により作られる上述した上側が開放された略船型の空間の水密であることが保たれるようになっている。マット１１５と板１１６については、第１実施形態と第２実施形態とで変わるところはない。
【００２５】
第２実施形態では、建築物１に向かって大きく傾斜した状態の前柵部１１３Ａの先端は、建築物１が有するベランダ２と干渉する位置に到るようになっている。他方、第２実施形態における前柵部１１３Ａの先端は、前柵部１１３Ａが足場板１１１に対して略垂直な位置にある場合には、建築物１が有するベランダ２とは接触しないようになっている。
【００２６】
以上のような第２実施形態の処理装置１００を用いて、作業者は、対象作業を行なう。
対象作業を行なう場合、作業者は、まず、昇降足場１１０の足場板１１１の上に乗る。そして、対象作業を行なう適当な高さよりも少し低い位置まで昇降足場１１０を昇降させ、そこで昇降足場１１０を停止させる。昇降足場１１０を昇降させるとき、前柵部１１３Ａは、足場板１１１に対して略垂直な位置にあるから、昇降足場１１０が昇降したとしても建築物１のベランダ２に干渉することはない。
昇降足場１１０を停止させると作業者は、昇降足場１１０からベランダ２に降り、排水管１３０の先端をベランダ２の排水口３の傍に位置させる。これは第１実施形態の場合と同様である。作業者は、また、昇降足場１１０の前柵部１１３Ａを建築物１に向かって大きく傾斜した状態（図３の実線で示した状態）とする。前柵部１１３Ａを大きく傾斜させることと、排水管１３０の先端をベランダ２の排水口３の傍に位置させることとの先後は問わない。
【００２７】
次いで、作業者は、昇降足場１１０を、対象作業を行なう適当な高さまで昇降させ、そこで昇降足場１００を停止させる。このとき前柵部１１３Ａの先端は、ベランダ２の下側に差し込まれた状態となっている。
その状態で作業者は、対象作業を行なう。対象作業により生じた液体（この実施形態では、建築物１の外装を洗浄するために建築物１の外側面に噴射された水）は、前柵部１１３Ａの上に落ち、傾斜した前柵部１１３Ａの上を伝って足場板１１１を覆っている遮水シート１１４の上に到る。足場板１１１を覆っている遮水シート１１４の上に到った液体は、排水管１３０を介してベランダ２の排水口３に到り、排水口３から適宜排水される。
このような液体の流れにより、対象作業を行なうことによって生じた液体が無為に垂れ落ちることが防止される。
【００２８】
その高さでの対象作業を終えた作業者は、排水管１３０の先端を排水口３の付近に位置させたときの高さまで昇降足場１１０を昇降させ、排水管１３０を回収し、また、前柵部１１３Ａを足場板１１１に対して略垂直な位置に戻す。
そして、作業者は、次の対象作業を、以上説明したことを繰り返すことにより行なう。
一般的には作業者は、対象作業を、建築物１の一番上から下に向かって、或いは建築物１の一番下から上に向かって行なう。必要な対象作業が終了すれば、昇降足場１１０を地上まで降ろし、作業者は地上に降りる。
【符号の説明】
【００２９】
１  建築物
２  ベランダ
３  排水口
１００  処理装置
１１０  昇降足場
１１１  足場板
１１２  駆動部
１１３  柵
１１３Ａ  前柵部
１１４  遮水シート
１２０  マスト
【図１】
2011026872.tif 000003
【図２】
2011026872.tif 000004
【図３】
2011026872.tif 000005